(57)【特許請求の範囲】
【請求項１】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
複数の発光素子を有し、被写体に対して連続的に光を発光する第一の発光手段と、
被写体に対して瞬間的に光を発光する第二の発光手段と、
前記手ブレ検出手段により検出された手ブレ量に基づいて、前記複数の発光素子の発光光量を各々制御することにより前記第一の発光手段の照射領域を変化させて該照射領域を補正する照射領域補正手段と、を備え、
該第一の発光手段による前記発光中に前記撮像手段によって撮影が行われるときに前記手ブレ補正手段が前記補正を行うことを特徴とする撮像装置。
【請求項２】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
複数の発光素子を有し、該複数の発光素子の発光光量を各々制御することにより前記被写体を分割的に照射する分割照射モードと前記被写体を全体的に照射する全体照射モードとを備え、被写体に対して連続的に光を発光する第一の発光手段と、
被写体に対して瞬間的に光を発光する第二の発光手段と、
前記手ブレ検出手段により検出された手ブレ量に基づいて、前記第一の発光手段が前記分割照射モードであるときにのみ前記第一の発光手段の照射領域を変化させて該照射領域を補正する照射領域補正手段と、を備え、
該第一の発光手段による前記発光中に前記撮像手段によって撮影が行われるときに前記手ブレ補正手段が前記補正を行うことを特徴とする撮像装置。
【請求項３】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記手ブレ検出手段により検出された手ブレ量に基づいて、前記第一の発光手段の照射領域を機械的に変化させて該照射領域を補正する照射領域補正手段と、を備え、
該第一の発光手段による前記発光中に前記撮像手段によって撮影が行われるときに前記手ブレ補正手段が前記補正を行うことを特徴とする撮像装置。
【請求項４】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記第一の発光手段の発光時間に基づいて、前記第一の発光手段の照射領域の大きさを変化させて該照射領域を補正する照射領域補正手段と、を備え、
該第一の発光手段による前記発光中に前記撮像手段によって撮影が行われるときに前記手ブレ補正手段が前記補正を行うことを特徴とする撮像装置。
【請求項５】
撮影光学系を介して撮像素子上に被写体を結像させて画像信号を生成する撮像手段と、
前記画像信号から所定の対象物を検出する対象物検出手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記第一の発光手段の発光時間に基づいて、前記被写体中の前記対象物検出手段により検出された前記対象物に対する前記第一の発光手段による光の発光量及び／又は前記照射領域を変化させて前記第一の発光手段の照射領域を補正する照射領域補正手段と、を備え、
該第一の発光手段による前記発光中に前記撮像手段によって撮影が行われるときに前記手ブレ補正手段が前記補正を行うことを特徴とする撮像装置。
【請求項６】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記手ブレ検出手段により検出された手ブレ量に基づいて、前記第一の発光手段の照射領域を補正する照射領域補正手段と、を備え、
前記手ブレ補正手段及び前記照射領域補正手段が、オン／オフを切り替えられる切替手段を有するものであって、
前記手ブレ補正手段がオンであるときのみに前記照射領域補正手段がオンにされ、前記第一の発光手段による前記発光中に前記撮像手段によって撮影が行われるときに前記手ブレ補正手段が前記補正を行うことを特徴とする撮像装置。
【請求項７】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記手ブレ検出手段により検出された手ブレ量に基づいて、前記第一の発光手段の照射領域を補正する照射領域補正手段と、を備え、
前記撮像光学系がズームレンズを含むものであって、
前記照射領域補正手段が、前記ズームレンズのズーム倍率が所定値より大きいときにのみ駆動され、前記第一の発光手段による前記発光中に前記撮像手段によって撮影が行われるときに前記手ブレ補正手段が前記補正を行うことを特徴とする撮像装置。
【請求項８】
撮影光学系を介して撮像素子上に被写体を結像させて画像信号を生成する撮像手段と、
手ブレ量を検出する手ブレ検出手段と、
該手ブレ検出手段により検出された手ブレ量に基づいて前記撮影光学系の少なくとも一部を移動させることにより光学的に手ブレを補正する手ブレ補正手段と、
被写体に対して連続的に光を発光する第一の発光手段と、
被写体に対して瞬間的に光を発光する第二の発光手段と、
前記手ブレ検出手段により検出された手ブレ量に基づいて、前記第一の発光手段の照射領域を補正する照射領域補正手段と、を備え、
前記照射領域補正手段が、前記撮影光学系に含まれる絞りのＦ値が所定値より大きいときにのみ駆動され、前記第一の発光手段による前記発光中に前記撮像手段によって撮影が行われるときに前記手ブレ補正手段が前記補正を行うことを特徴とする撮像装置。
【請求項９】
被写体の明るさを測光して露光時間を算出する露光算出手段を備えてなり、
前記手ブレ補正手段が、前記露光時間が所定値より大きいときにのみ前記補正を行うものであることを特徴とする請求項１〜４及び請求項６〜８いずれか１項に記載の撮像装置。
【請求項１０】
前記手ブレ補正手段及び前記照射領域補正手段が、オン／オフを切り替えられる切替手段を有するものであって、
前記手ブレ補正手段がオンであるときのみに前記照射領域補正手段がオンにされることを特徴とする請求項１〜４及び請求項９いずれか１項に記載の撮像装置。
【請求項１１】
前記撮像光学系がズームレンズを含むものであって、
前記照射領域補正手段が、前記ズームレンズのズーム倍率が所定値より大きいときにのみ駆動されるものであることを特徴とする請求項１〜４及び請求項９いずれか１項に記載の撮像装置。
【請求項１２】
前記照射領域補正手段が、前記撮影光学系に含まれる絞りのＦ値が所定値より大きいときにのみ駆動されるものであることを特徴とする請求項１〜４及び請求項９いずれか１項に記載の撮像装置。
【発明の詳細な説明】
【技術分野】
【０００１】
本発明は発光手段を備えた撮像装置に関し、特に手ブレを補正する手ブレ補正方法に関するものである。
【背景技術】
【０００２】
デジタルカメラ等の撮像装置では、シャッタボタンを押すときに撮影者の手が動くことによって生じる画像のブレ、いわゆる「手ブレ」を補正するための手ブレ補正機能を備えたものが提案されている。手ブレ補正機能としては、撮像装置内にジャイロセンサ等を配設して撮影時の手ブレを検出し、手ブレ量に応じて撮影レンズの一部を光軸に対して垂直な方向にシフトさせる光学的な手ブレ補正方法や、前記手ブレ量に応じてＣＣＤ等の撮像素子を移動させるイメージセンサシフト式手ブレ補正方法、撮影可能領域を一定のサイズし、最初に撮影した画像とそれ以降に撮影した画像とを比較してその差分量を演算して、撮影可能領域を自動的にずらして撮影する電子式手ブレ方式等がある。
【０００３】
一方、従来、デジタルカメラ等の撮像装置では、Ｘｅ（キセノン）管をフラッシュの光源とするものが広く使用されている。しかしながら近年では、ＬＥＤ（発光ダイオード）をフラッシュの光源としたものが提案されており、Ｘｅ（キセノン）管とＬＥＤ（発光ダイオード）の両方をフラッシュの光源として搭載している撮像装置も提案されている（特許文献１）。
【特許文献１】特開２００７−１２１７５５号公報
【発明の開示】
【発明が解決しようとする課題】
【０００４】
しかしながら、Ｘｅ管を光源とするフラッシュは瞬間的に大きい光量で発光するのに対して、ＬＥＤを光源とするフラッシュは小さい光量であり、露光時間中に連続して発光させることによって被写体が必要とする光量を補うため、露光時間が長くなる。そして露光時間が長くなると手ブレが発生し易くなるといった問題がある。
【０００５】
本発明はかかる事情に鑑みてなされたものであり、撮像装置において必要なときに手ブレ補正を行うことができる撮像装置を提供することを目的とするものである。
【課題を解決するための手段】
【０００６】
本発明の撮像装置は、撮影光学系を介して撮像素子上に被写体を結像させて画像信号を生成する撮像手段と、
手ブレ量を検出する手ブレ検出手段と、
該手ブレ検出手段により検出された手ブレ量に基づいて手ブレを補正する手ブレ補正手段と、
被写体に対して連続的に光を発光する第一の発光手段と、
被写体に対して瞬間的に光を発光する第二の発光手段と、を備え、
該第一の発光手段による前記発光中に前記撮像手段によって撮影が行われるときに前記手ブレ補正手段が前記補正を行うことを特徴とするものである。
【０００７】
ここで「連続的に光を発光する発光手段」とは、例えばＬＥＤ（発光ダイオード）や有機ＥＬ（有機エレクトロルミネセンス）、電球等を使用したものを挙げることができ、長時間光を発光可能なものとする。なお「連続的に」は電圧降下等による光量の変動があってもよい。
【０００８】
なお本発明の撮像装置においては、被写体の明るさを測光して露光時間を算出する露光算出手段を備えてなり、
前記手ブレ補正手段が、前記露光時間が所定値より大きいときにのみ前記補正を行うものであってもよい。
【０００９】
また本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであり、
前記第一の発光手段が、複数の発光素子を有するものであって、
前記照射領域補正手段が、前記複数の発光素子の発光光量を各々制御することにより前記照射領域を変化させるものであってもよい。
【００１０】
ここで「照射領域」とは、照射位置、照射形状、照射領域の大きさを含むものとする。
【００１１】
なお本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであり、
前記第一の発光手段が、複数の発光素子を有し、該複数の発光素子の発光光量を各々制御することにより前記被写体を分割的に照射する分割照射モードと前記被写体を全体的に照射する全体照射モードとを備えてなるものであって、
前記照射領域補正手段が、前記第一の発光手段が前記分割照射モードであるときにのみ前記照射領域を変化させるものであってもよい。
【００１２】
本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであって、
前記照射領域補正手段が、前記照射領域を機械的に変化させるものであってもよい。
【００１３】
また本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであって、
前記照射領域補正手段が、前記第一の発光手段の発光時間に基づいて前記光の照射領域の大きさを変化させるものであってもよい。
【００１４】
また本発明の撮像装置においては、前記画像信号から所定の対象物を検出する対象物検出手段と、
前記手ブレ検出手段により検出された手ブレ量に基づいて、前記第一の発光手段の照射領域を補正する照射領域補正手段と、をさらに備え、
前記手ブレ補正手段が、前記撮影光学系の少なくとも一部を移動させることにより光学的に前記補正を行うものであって、
前記照射領域補正手段が、前記第一の発光手段の発光時間に基づいて、前記被写体中の前記対象物検出手段により検出された前記対象物に対する前記第一の発光手段による光の発光量及び／又は前記照射領域を変化させるものであってもよい。
【００１５】
また本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであり、
前記手ブレ補正手段及び前記照射領域補正手段が、オン／オフを切り替えられる切替手段を有するものであって、
前記手ブレ補正手段がオンであるときのみに前記照射領域補正手段がオンにされるものであってもよい。
【００１６】
また本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであり、
前記撮像光学系がズームレンズを含むものであって、
前記照射領域補正手段が、前記ズームレンズのズーム倍率が所定値より大きいときにのみ駆動されるものであってもよい。
【００１７】
本発明の撮像装置においては、前記手ブレ検出手段により検出された手ブレ量に基づいて、前記第一の発光手段の照射領域を補正する照射領域補正手段をさらに備えてなり、
前記手ブレ補正手段が、前記撮影光学系の少なくとも一部を移動させることにより光学的に前記補正を行うものであって、
前記照射領域補正手段が、前記撮影光学系に含まれる絞りのＦ値が所定値より大きいときにのみ駆動されるものであってもよい。
【００１８】
本発明の手ブレ補正方法は、撮影光学系を介して撮像素子上に被写体を結像させて画像信号を生成する撮像手段と、
手ブレ量を検出する手ブレ検出手段と、
該手ブレ検出手段により検出された手ブレ量に基づいて手ブレを補正する手ブレ補正手段と、
被写体に対して連続的に光を発光する第一の発光手段と、
被写体に対して瞬間的に光を発光する第二の発光手段と、を備えてなる撮像装置において、
前記第一の発光手段による前記発光中に前記撮像手段によって撮影が行われているときにのみ前記手ブレ補正手段が前記補正を行うことを特徴とするものである。
【発明の効果】
【００１９】
本発明の撮像装置及び撮像装置における手ブレ補正方法によれば、被写体に対して連続的に光を発光する第一の発光手段による発光中に撮像手段によって撮影が行われるときに手ブレ補正を行うので、連続的に光を発光するため露光時間が長くなり手ブレが生じる可能性が高いとき、つまり必要なときにのみ自動的に手ブレ補正を行うことができて、ユーザによる操作の手間を省くとともに手ブレ補正に要する電力を省いて低電力化を実現することができる。
【発明を実施するための最良の形態】
【００２０】
以下、本発明にかかる撮像装置の一実施形態を、図面を参照して詳細に説明する。尚、以下の実施の形態では、本発明における撮像装置としてデジタルカメラを例に説明するが、本発明の適用範囲はこれに限定されず、例えば、ＬＥＤ等の連続的に光を発光する発光手段を備えていれば、カメラ付き携帯電話、カメラ付きＰＤＡ等、電子撮像機能を備えた他の電子機器に対しても適用可能である。ここで  図１にデジタルカメラ１の機能構成を示すブロック図を示す。
【００２１】
デジタルカメラ１は、図１に示す如く、デジタルカメラ１の操作系として、各動作モードを切り替える動作モードスイッチ、メニュー／ＯＫボタン、ズーム／上下矢印レバー、左右矢印ボタン、撮影を指示するレリーズボタン、電源スイッチ等（不図示）の操作部５２が、ＣＰＵ５０に伝えるためのインターフェースである操作系制御部５１を介してＣＰＵ５０に接続されている。レリーズボタンは、半押しと全押しの２段階操作が可能であり、通常、半押しされたときにＡＥ処理やＡＦ処理を行い、全押しされたときに撮影の開始を指示する。
【００２２】
ＬＥＤフラッシュ制御部５５は、ＬＥＤ駆動回路５４にＬＥＤ（発光ダイオード）５５を駆動させることによりＬＥＤ５５の発光動作を制御するものであって、レリーズボタンが押下されたときＬＥＤ５５に、撮影に必要な光を被写体に対して照射させる。ＬＥＤ駆動回路５４には複数（本実施形態では３つ）のＬＥＤ５５−１〜５５−３を接続することができる。そしてＬＥＤフラッシュ制御部５５、ＬＥＤ駆動回路５４及び複数のＬＥＤ５５によってＬＥＤフラッシュ（第一の発光手段）が構成される。
【００２３】
Ｘｅ管フラッシュ制御部５６は、Ｘｅ（キセノン）管駆動回路５７にＸｅ（キセノン）管５８を駆動させることによりＸｅ管５８の発光動作を制御するものであって、レリーズボタンが押下されたときＸｅ管５８に、撮影に必要な光を被写体に対して照射させる。そしてＸｅ管フラッシュ制御部５６、Ｘｅ管駆動回路５７及びＸｅ管５８によってＸｅ管フラッシュ（第二の発光手段）が構成される。
【００２４】
また、被写体像を所定の結像面上（カメラ本体内部にあるＣＣＤ等）に結像させるための撮影光学系１０を構成するものとして、フォーカスレンズ１０ａ、ズームレンズ１０ｂ、絞り１１、シャッタ１２等が設けられている。各レンズは、モータとモータドライバからなるフォーカスレンズ駆動部２１、ズームレンズ駆動部２２によってステップ駆動され、光軸方向に移動可能な構成となっている。フォーカスレンズ駆動部２１は、ＡＦ処理部３８から出力されるフォーカス駆動量データに基づいてフォーカスレンズ１０ａをステップ駆動する。ズームレンズ駆動部２２は、ズーム／上下矢印レバー１３の操作量データに基づいてズームレンズ１０ｂのステップ駆動を制御する。
【００２５】
絞り１１は、モータとモータドライバとからなる絞り駆動部２３によって駆動される。この絞り駆動部２３は、後述のＡＥ処理部３９から出力される絞り値データに基づいて絞り１１の絞り径の調整を行う。
【００２６】
シャッタ１２は、メカニカルシャッタであり、モータとモータドライバとからなるシャッタ駆動部２４によって駆動される。シャッタ駆動部２４は、レリーズボタンの押下により発生する信号と、ＡＥ処理部３９から出力されるシャッタ速度データとに応じてシャッタ１２の開閉の制御を行う。このときシャッタ１２を開けることにより露光が開始され、閉めることにより露光が終了する。
【００２７】
撮影光学系１０の後方には、撮影素子であるＣＣＤ１３を有している。ＣＣＤ１３は、多数の受光素子がマトリクス状に配置されてなる光電面を有しており、撮像光学系１０を通過した被写体光が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。
【００２８】
ＣＣＤ１３は、ＣＣＤ制御部２５から供給される垂直転送クロック信号及び水平転送クロック信号に同期して、画素毎に蓄積された電荷を１ラインずつ読み出してシリアルなアナログ画像信号として出力する。各画素における電荷の蓄積時間、即ち露光時間は、ＣＣＤ制御部２５から与えられる電子シャッタ駆動信号によって決定される。そして撮影光学系１０及びＣＣＤ１３、ＣＣＤ制御部２５を含めて撮像部（撮像手段）１００が構成される。
【００２９】
ＣＣＤ１３が出力するアナログ画像信号は、アナログ信号処理部３０に入力される。このアナログ信号処理部３０は、アナログ画像信号のノイズ除去を行う相関２重サンプリング回路（ＣＤＳ）と、アナログ画像信号のゲイン調整を行うオートゲインコントローラ（ＡＧＣ）と、アナログ画像信号をデジタル画像データに変換するＡ／Ｄコンバータ（ＡＤＣ）とからなる。そしてこのデジタル信号に変換されたデジタル画像データは、画素毎にＲＧＢの濃度値を持つＣＣＤ−ＲＡＷデータである。
【００３０】
タイミングジェネレータ３１は、タイミング信号を発生させるものであり、このタイミング信号がシャッタ駆動部２４、ＣＣＤ制御部２５、アナログ信号処理部３０に入力されて、レリーズボタンの操作と、シャッタ１２の開閉、ＣＣＤ１３の電荷取り込み、アナログ信号処理部３０の処理の同期が取られる。
【００３１】
画像入力コントローラ３２は、上記アナログ信号処理部３０から入力されたＣＣＤ−ＲＡＷデータをフレームメモリ３３に書き込む。このフレームメモリ３３は、画像データに対して後述の各種デジタル画像処理（信号処理）を行う際に使用する作業用メモリであり、例えば、一定周期のバスクロック信号に同期してデータ転送を行うＳＤＲＡＭ（Synchronous Dynamic Random Access Memory）が使用される。
【００３２】
表示制御部３４は、フレームメモリ３３に格納された画像データをスルー画像として液晶モニタ３５に表示させるためのものであり、例えば、輝度（Ｙ）信号と色（Ｃ）信号を一緒にして１つの信号としたコンポジット信号に変換して、液晶モニタ３５に出力する。スルー画像は、撮影モードが選択されている間、所定時間間隔で取得されて液晶モニタ３５に表示される。また、表示制御部３４は、外部記録メディア３７に記憶され、メディア制御部３６によって読み出された画像ファイルに含まれる画像データに基づいた画像を液晶モニタに表示させる。
【００３３】
対象物検出部（対象物検出手段）４６は、フレームメモリ３３に格納された画像データつまりスルー画像から例えば人物の顔等の所定の対象物を検出する。具体的には、対象物（顔に）含まれる対象物（顔）の特徴を有する領域（例えば肌色を有する、目を有する、顔の形状を有する等）を対象物（顔）領域として検出するものであり、例えば対象物が顔の場合には、両目画像データのマッチングにより顔を検出してもよいし、目及び口の位置関係などから顔を検出してもよいし、顔の輪郭の検出、顔の肌に相当する色情報の検出等によって顔領域を特定するようにしてもよいし、公知の技術を使用することができる。
【００３４】
ＡＦ処理部３８は、画像データに基づいて焦点位置を検出して合焦設定値（フォーカス駆動量）を決定し、フォーカス駆動量データを出力する（ＡＦ処理）。このとき合焦設定値は対象物検出部４６の検出結果に基づいて決定してもよい。焦点位置の検出方式としては、例えば、ピントが合った状態では画像の合焦評価値（コントラスト値）が高くなるという特徴を利用して合焦位置を検出するパッシブ方式が適用される。
【００３５】
ＡＥ処理部（露光算出手段）３９は、画像データに基づいて被写体輝度（測光値）を測定し、測定した被写体輝度に基づいて絞り値、シャッタスピード及び露光時間等の露出設定値を決定し、絞り値データ及びシャッタスピードデータを出力する（ＡＥ処理）。このとき露出設定値は対象物検出部４６の検出結果に基づいて決定してもよい。
【００３６】
ＡＷＢ処理部４０は、撮像時のホワイトバランスを自動調整する（ＡＷＢ処理）。なお、ＡＷＢ処理部４０は、撮像前でも、本撮影後でもホワイトバランスの調整を行うことができる。
【００３７】
手ブレ検出部４４は、ユーザの手ブレによって生じたデジタルカメラ１本体の振動を検出するものであり、ジャイロセンサや加速度センサ等で構成することができる。そして検出した振動を電気信号に変換し、手ブレ量としてＣＰＵ５０へ入力する。そして入力された手ブレ量は内部メモリ４３に記憶される。なお本実施形態の手ブレ検出部４４では上記センサで手ブレ量を検出したが、本発明はこれに限られるものではなく、例えば本撮影時に撮像手段により撮像されフレームメモリ３３に記憶された最初の画像データと、それ以降に撮像されて記憶された画像データとを比較して、差分を演算することにより手ブレ量を検出する電子式手ブレ検出手段等を使用することもできる。
【００３８】
手ブレ補正部（光学的手ブレ補正手段、手ブレ補正手段）４５は、手ブレ検出部４４により検出された手ブレ量に基づいて、撮影光学系１０に設けられた補正レンズ（不図示）を、手ブレを打ち消す方向に移動させることによって撮影光学系１０の光軸を補正する。これによりＣＣＤ１３に到達する光の動きを抑えることで、光学的に手ブレを軽減させる。
【００３９】
なお本実施形態では上記のように手ブレを補正するものとしたが、例えばＣＣＤ１３を前記手ブレ量に基づいて、手ブレを打ち消す方向に移動させることによって、ＣＣＤ１３に撮影光学系１０の光軸を正確に当てるようにした、いわゆるイメージセンサシフト式手ブレ補正を行ってもよい。また撮影可能領域を一定のサイズに狭め、フレームメモリ３３に記憶された画像データを読み込み、最初に撮影した画像とそれ以降に撮影した画像とを比較してその差分量を演算し、撮影可能領域を自動的にずらして撮影する、いわゆる電子式手ブレ補正をおこなってもよい。
【００４０】
また手ブレ補正部４５は、例えばユーザが操作部５２を操作することにより、オン／オフを切り替えられるものとする。また例えばユーザが操作部５２を操作することによって手ブレモードがオンに設定されると手ブレ補正部４５は上述の補正を行う。
【００４１】
画像処理部４１は、本画像の画像データに対してガンマ補正処理、輪郭強調（シャープネス）処理、コントラスト処理、ノイズ低減処理等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。
【００４２】
なお本画像とは、撮影者によって撮影指示がなされた時、例えばレリーズボタンが全押し操作された時にＣＣＤ１３から取り込まれ、アナログ信号処理部３０、画像入力コントローラ３２経由でフレームメモリ３３に格納された画像データによる画像であり、この本画像を取得することを本撮影という。
【００４３】
本画像の画素数の上限はＣＣＤ１３の画素数によって決定されるが、例えば、撮影者が設定可能な画質設定（ファイン、ノーマル等の設定）により、記録画素数を変更することができる。一方、スルー画像等の画素数は本画像より少なくてもよく、例えば、本画像の１／１６程度の画素数で取り込まれてもよい。
【００４４】
圧縮／伸長処理部４２は、画像処理部４１によって画質補正等の処理が行われた本画像の画像データに対して、例えばＪＰＥＧ等の圧縮形式で圧縮処理を行って、画像ファイルを生成する。この画像ファイルには、Ｅｘｉｆ形式等に基づいて、撮影日時や、ＬＥＤ５５発光モード、Ｘｅ管発光モード、手ブレモード、照射領域補正モードで撮影された画像であるか等の付帯情報が格納されたタグが付加される。
【００４５】
またこの圧縮／伸長処理部４２は、再生モードにおいては外部記録メディア３７から圧縮された画像ファイルを読み出し、伸長処理を行う。伸長後の画像データは表示制御部３４に出力され、表示制御部３４は画像データに基づいた画像を液晶モニタ３５に表示する。
【００４６】
メディア制御部３６は、外部記録メディア３７に記憶された画像ファイル等の読み出し、又は画像ファイルの書き込みを行う。内部メモリ４３は、デジタルカメラ１において設定される各種定数、及び、ＣＰＵ５０が実行するプログラム等を格納する。ＣＰＵ５０は、操作部５２の操作や各機能ブロックからの信号に応じて、デジタルカメラ１の本体各部を制御する。
【００４７】
またデータバス４７は、画像入力コントローラ３２、各種処理部３８〜４２、フレームメモリ３３、各種制御部３４、３６、内部メモリ４３、手ブレ検出部４４、対象物検出部４６及びＣＰＵ５０に接続されており、このデータバス４７を介して各種信号、データの送受信が行われる。このようにデジタルカメラ１は構成されている。
【００４８】
次に、上記のように構成されたデジタルカメラ１において撮影時に行われる処理について図面を参照して説明する。図２は、ＬＥＤ及びＸｅにおける発光量及び発光時間と露光時間との関係を示すグラフ、図３はデジタルカメラ１による一連の撮影処理のフローチャートである。なお図２のグラフにおいて、横軸は時間、縦軸は発光量を示す。
【００４９】
Ｘｅ管フラッシュは瞬間的に大きな発光量Ｐ２で発光するため、図２に示す如く、露光時間中に比較的短い時間ｔ１で被写体が必要とする光量を得ることができる。このため露光時間を短く、つまりシャッタスピードを早くすることができるので、ユーザの手のブレによって生じるデジタルカメラ１本体の動きは本画像に殆ど影響を与えない。
【００５０】
これに対してＬＥＤフラッシュはＰ２よりも小さい光量Ｐ１で連続的に安定して発光するため、被写体が必要とする光量を得るためには露光時間中に長時間ｔ２発光させる必要がある。このため露光時間が長くなってしまい、露光時間が長くなると、ユーザの手のブレによって生じるデジタルカメラ１本体の動きによって本画像にブレが生じてしまう。なおこの本画像のブレをいわゆる手ブレという。
【００５１】
そこで本発明では、露光時間が長くなるＬＥＤフラッシュによる発光中に撮像部１００によって撮影が行われるときにのみ手ブレ補正を行う。
【００５２】
デジタルカメラ１による撮影は、図３に示す如く、先ずＣＰＵ５０が発光モードを判別する（ステップＳ１）。発光モードは例えばＬＥＤ発光モード、Ｘｅ管発光モード、オフモードを選択することができ、ユーザが操作部５２を操作することにより任意に選択することができる。
【００５３】
そしてＣＰＵ５０が、発光モードがＸｅ管発光モードであると判別すると（ステップＳ１；Ｘｅ管発光）、フラグに１を設定し（ステップＳ２）、ＬＥＤ発光モードであると判別すると（ステップＳ１；ＬＥＤ発光）、手ブレモードを自動的にオンにして手ブレ補正部４５をオンに設定し（ステップＳ３）、フラグに０を設定する（ステップＳ４）。
【００５４】
次にＣＰＵ５０は、レリーズボタンが半押しされたか否かを判別し(ステップＳ５)、半押しされていない場合（ステップＳ５；ＮＯ）には、半押しされるまでステップＳ５の処理を繰り返し行う。
【００５５】
一方、レリーズボタンが半押しされた場合（ステップＳ５；ＹＥＳ）には、ＡＷＢ処理部４０がＡＷＢ処理を行い(ステップＳ６)、ＡＥ処理部３９及びＡＦ処理部３８がそれぞれＡＥ処理及びＡＦ処理を順に行う（ステップＳ７）。このときＡＥ処理部３９はフラグが１であるか０であるか、つまり撮影時の発光がＸｅ管とＬＥＤのどちらによる発光であるかを考慮にして上述の露出設定値を決定する。
【００５６】
そしてＣＰＵ５０は、レリーズボタンが全押しされたか否かを判別し（ステップＳ８）、全押しされていない場合（ステップＳ８；ＮＯ）には、全押しされるまでステップＳ８の処理を繰り返し行う。なおこのとき半押しが解除されていればＣＰＵ７５は処理をステップＳ５へ移行する。
【００５７】
一方、レリーズボタンが全押しされた場合（ステップＳ８；ＹＥＳ）は、ＣＰＵ５０はフラグが１であるか否かを判別し（ステップＳ９）、フラグが１である場合（ステップＳ９；ＹＥＳ）には、発光モードがＸｅ管発光モードであるため、シャッタ駆動部２４がシャッタ１２を開くことにより露光を開始し（ステップＳ１０）、Ｘｅ管フラッシュ制御部５６がＸｅ管５８を発光させる（ステップＳ１１）。
【００５８】
そしてステップＳ７のＡＥ処理により決定された露光時間が経過するとシャッタ駆動部２４がシャッタ１２を閉めることにより露光を終了し（ステップＳ１２）、撮影を終了する。
【００５９】
一方、ステップＳ９にてフラグが１ではない、すなわち０である場合（ステップＳ９；ＮＯ）は、ＬＥＤフラッシュ制御部５３がＬＥＤ５５を発光させ（ステップＳ１３）、シャッタ駆動部２４がシャッタ１２を開閉することにより露光を行う（ステップＳ１４）。このとき手ブレ補正部４５はステップＳ３にてオンに設定されているので、手ブレ補正部４５が手ブレ検出部４４により検出される手ブレ量に基づいて露光中に手ブレ補正を行う。そして露光が終了するとＬＥＤフラッシュ制御部５３がＬＥＤ５５の発光を停止させて（ステップＳ１５）、撮影を終了する。
【００６０】
以上により、ＬＥＤフラッシュによる発光中に撮影が行われるときにのみ、手ブレモードがオンにされて手ブレ補正部４５が手ブレ補正を行うので、必要なときにのみ自動的に手ブレ補正を行うことができて、ユーザによる操作の手間を省くとともに手ブレ補正に要する電力を省いて低電力化を実現することができる。
【００６１】
なお例えばスローシンクロ等、暗い環境で手前をフラッシュしたり、長時間露光により背景を明るく写したいとき等の撮影モードの場合には、Ｘｅ管フラッシュによる発光であっても手ブレモードをオンにすることができる。またＬＥＤフラッシュによる発光の場合でも、発光時間すなわちＡＥ処理部３９により算出された露光時間に応じて手ブレモードつまり手ブレ補正部４５のオン／オフを切り替えてもよい。この場合ステップＳ１とステップＳ３の間に例えば露光時間が１／１００秒以下のときにオフ、１／１００秒以上のときにオンに切り替える処理を行う。こうすることによって無駄な電力の消費を低減することができる。
【００６２】
次に別の実施形態のデジタルカメラ１−２について図面を参照して詳細に説明する。図４はデジタルカメラ１−２の機能構成を示すブロック図である。なお本実施形態のデジタルカメラ１−２は図１のデジタルカメラ１の機能構成と概略同様であるため、同様の箇所は同符号で示して説明を省略し、異なる箇所についてのみ説明する。
【００６３】
本実施形態のデジタルカメラ１−２は、図４に示す如く、照射領域補正部６０を備えている。照射領域補正部６０は、手ブレ検出手段により検出された手ブレ量に基づいて、ＬＥＤフラッシュの照射領域を補正するものである。この照射領域補正部６０は、オン／オフを切り替えられる切替手段を有してもよい。例えばユーザが操作部５２を操作することにより、オン／オフを設定可能にすることがでる。
【００６４】
なおデジタルカメラ１−２における手ブレ補正部４５は、上述した光学的手ブレ補正のみを可能とする。またデジタルカメラ１−２ではＸｅ管フラッシュを備えていないが、備えていてもよい。
【００６５】
ここで図５に撮影光学系１０の光軸ａ１及び撮影画角ａ２とＬＥＤ５５の光軸ｂ１及び照射領域ｂ２の一例をそれぞれ示す。図５中、（ａ）は通常撮影時、（ｂ）は手ブレ補正中、（ｃ）は手ブレ補正及び照射領域補正中のときの一例である。
【００６６】
図５（ａ）に示す如く、デジタルカメラ１による通常の撮影時すなわち手ブレ補正部４５による手ブレ補正を行っていない撮影時には、ユーザが任意に設定した撮影画角ａ２を満たす照射領域ｂ２で被写体に向けて光を照射する。
【００６７】
しかしながら図５（ｂ）に示す如く、デジタルカメラ１による光学的な手ブレ補正中の撮影時には、例えばユーザの手によってデジタルカメラ１本体が下向き（紙面下側）にブレたときに撮影光学系１０の光軸ａ１が下方を向かないように上方向に移動させることで、撮影画角ａ２が変化しないように補正している。このときデジタルカメラ１本体が下向きにブレた状態のままなので、デジタルカメラ１本体に設けられているＬＥＤ５５の光軸ｂ１’はデジタルカメラ１本体の向きに合わせて下方を向くため、照射領域ｂ２’も被写体の下側にずれてしまう。
【００６８】
そこで本実施形態のデジタルカメラ１−２は、上記照射領域補正部６０によってＬＥＤ５５すなわちＬＥＤフラッシュの照射領域を補正する。ここで図６にデジタルカメラ１−２による一連の撮影処理のフローチャートを示す。
【００６９】
デジタルカメラ１−２は、図６に示す如く、先ずＣＰＵ５０は手ブレ補正部４５がオンに設定されているか否かを判別する（ステップＳ２０）。手ブレ補正部４５がオンに設定されている場合（ステップＳ２０；ＹＥＳ）は、手ブレ検出部４４が手ブレを検出し（ステップＳ２１）、検出された手ブレ量に基づいて手ブレ補正部４５が手ブレを補正する（ステップＳ２２）。このステップＳ２１とステップＳ２２の処理は、露光が終了するまで繰り返し行われる。
【００７０】
次にＣＰＵ５０はレリーズボタンが半押しされたか否かを判別する。（ステップＳ２３）なおステップＳ２０にて手ブレ補正部４５がオンに設定されていない場合すなわちオフに設定されている場合（ステップＳ２０；ＮＯ）には、ＣＰＵ５０は処理をステップＳ２３へ移行する。
【００７１】
そしてレリーズボタンが半押しされていない場合（ステップＳ２３；ＮＯ）には、半押しされるまでステップＳ２３の処理を繰り返し行い、レリーズボタンが半押しされた場合（ステップＳ２３；ＹＥＳ）には、ＡＷＢ処理部４０がＡＷＢ処理を行い(ステップＳ２４)、ＡＥ処理部３９及びＡＦ処理部３８がそれぞれＡＥ処理及びＡＦ処理を順に行う（ステップＳ２５）。
【００７２】
次にＣＰＵ５０は、レリーズボタンが全押しされたか否かを判別し(ステップＳ２６)、全押しされていない場合（ステップＳ２６；ＮＯ）には、全押しされるまでステップＳ２６の処理を繰り返し行う。なおこのとき半押しが解除されていればＣＰＵ７５は処理をステップＳ２３へ移行する。
【００７３】
一方、レリーズボタンが全押しされた場合（ステップＳ２６；ＹＥＳ）は、照射領域補正部６０がオンに設定されているか否かを判別し（ステップＳ２７）、オンに設定されている場合（ステップＳ２７；ＹＥＳ）には、ＬＥＤフラッシュ制御部５３がＬＥＤ５５を被写体に向けて照射させて、照射領域補正部６０が手ブレ量に基づいてＬＥＤフラッシュの照射領域を補正する。このとき照射領域補正部６０は、撮影光学系１０の光軸ａ１とＬＥＤ５５の光軸ｂ１との位置関係が手ブレ補正が駆動される前の位置関係になるように初期化してから照射領域の補正を開始する。
【００７４】
ここで照射領域補正部６０による照射領域の補正方法について説明する。図７、図８．図９はそれぞれ、照射領域を機械的に変化させるＬＥＤフラッシュの構造の一例であり、図７（ａ）は全体斜視図、図７（ｂ）は主要部上面図、図７（ｃ）は主要部側面図である。また図８、図９はそれぞれ側面図である。
【００７５】
ＬＥＤフラッシュは、例えば図７（ａ）に示す如く、例えば６個等、複数のＬＥＤ５５−１〜５５−６が各々の光軸ｂ１が略同方向を向くようにそれぞれ取付板５５ａに貼着され、この取付板５５ａが例えばばねやダンパー等で構成される弾性部材５５ｂを介して一枚の支持板５５ｃに取り付けられる。そして取付板５５ａを例えば制御部材５５ｄを駆動させることにより、図７（ｂ）に示す如く、取付板５５ａを図７（ａ）の上方からみて左右両側の弾性部材５５ａをそれぞれ変動させて光軸ｂ１を光軸ｂ１’の如く、前記左右方向に変動させ、また図７（ｃ）に示す如く、取付板５５ａを図７（ａ）に手前側面側からみて上下の弾性部材５５ａをそれぞれ変動させて光軸ｂ１を光軸ｂ１’の如く、前記上下方向に変動させる。このようにしてＬＥＤ５５の光軸ｂ１の位置を変化させることにより照射領域を補正する。
【００７６】
またＬＥＤフラッシュは、図８に示す如く、ＬＥＤ５５が貼着された支持板５５ｃから光を反射する反射部材５５ｅをＬＥＤ５５の上下両側から突出させ、反射部材５５ｅ側に凸部を有する反射制御部材５５ｆをＬＥＤ５５の光軸ｂ１の前後方向へ移動させることにより反射制御部材５５ｆが反射部材５５ｅの先端側を内方又は外方へ変動させる。このように反射部材５５ｅを変動させることによってＬＥＤ５５の照射領域を上下方向に変化させる。ＬＥＤ５５の左右両側も同様の構成にすることにより、ＬＥＤ５５の照射領域を左右方向に変化させる。このようにして照射領域を補正してもよい。
【００７７】
またＬＥＤフラッシュは、上記実施形態の反射制御部材５５ｆを設けずに、ＬＥＤ５５の前方にレンズ５５ｇを配設し、このレンズ５５ｇをＬＥＤ５５の光軸ｂ１方向の前後に移動させるレンズ駆動部材５５ｈを配設することにより、上記と同様に照射領域を補正してもよい。
【００７８】
上記のようにしてＬＥＤフラッシュの照射領域を機械的に変化させることができる。
【００７９】
上記実施形態では、照射領域補正部６０がＬＥＤフラッシュの照射領域を機械的に変化させるものとしたが、本発明はこれに限られるものではない。ここで図１０にＬＥＤフラッシュが複数のＬＥＤ（発光素子）５５を有するものであるときの照射領域７と撮像範囲Ｐとの関係の一例を示す。
【００８０】
複数のＬＥＤ５５を使用したとき、通常の撮影時すなわち手ブレ補正を行わないときには、図１０（ａ）に示す如く、撮影範囲Ｐの全範囲を照射するように照射領域７は設定されている。しなしながら手ブレ補正部４５による手ブレ補正によって撮影光学系１０の光軸が例えば左下方にずれたときには、図１０（ｂ）に示す如く、撮影範囲Ｐから撮影範囲Ｐ’に移動する。
【００８１】
このときＬＥＤフラッシュによる照射領域７は移動しないので、撮影範囲Ｐ’と照射領域７とにはずれが生じてしまう。そこで照射領域補正部６０が、複数のＬＥＤ５５の発光光量を各々制御することにより撮像範囲Ｐ’と照射領域７とのずれを低減させる。ここで図１１にＬＥＤ５５の配置と発光パターンの一例、図１２に露光中の各ＬＥＤ５５の照射例を示す。
【００８２】
図１１に示す如く、縦横に配列された複数のＬＥＤ５５を、例えば下端及び左端の２列を「３」中央の４×４を「１」残りを「２」に選択して設定し、例えば撮影光学系１０の光軸が図１０（ｂ）のように左下方にずれた場合には、光軸のずれた方向に配列されたＬＥＤ５５つまり「３」に設定されたＬＥＤ５５を、図１２のＬＥＤパターン３に示すように露光開始から終了までの間にだんだんと光量を強くするとともに、光軸のずれた方向とは逆の方向に配列されたＬＥＤ５５つまり「２」に設定されたＬＥＤ５５を、ＬＥＤパターン２に示すように露光開始から終了までの間にだんだんと光量を弱くする。このように撮影光学系１０の光軸の移動に合わせて、ＬＥＤ５５の発光光量を各々制御することにより、機械的な駆動を行うことなく、ＬＥＤフラッシュの照射領域７と撮影範囲Ｐとのずれを低減することができる。
【００８３】
上記実施形態では、複数のＬＥＤ（発光素子）５５を有するＬＥＤフラッシュが撮影範囲Ｐの被写体全体を照射するものであるが、本発明はこれに限られるものではない。ＬＥＤフラッシュが、撮影範囲Ｐの被写体を全体的に照射する全体照射モードと、撮影範囲Ｐの被写体を部分的に照射する分割照射モードとを有するものであってもよい。ここで図１３及び図１４に分割照射モードで撮影するときの照射の一例をそれぞれ示す。図１３（ａ）は通常撮影時、（ｂ）は手ブレ発生時、図１４（ａ）は手ブレ補正時、（ｂ）は手ブレ及び照射領域補正時である。
【００８４】
分割照射モードでは、例えば図１３（ａ）に示す如く、対象物検出部４６が画像データから例えば顔Ｆを検出した場合に、検出した顔Ｆの領域に対応するＬＥＤ５５を発光させることにより顔領域を照射領域Ｌ０とすることができる。
【００８５】
このように被写体を分割的に照射する場合、撮影時に手ブレが生じると図１３（ｂ）に示す如く、撮影範囲Ｐが例えば左下方にブレることにより撮影範囲Ｐ’となり、これに伴って照射領域Ｌ０も左下方にブレて照射領域Ｌ０’となり、照射領域Ｌ０’は顔Ｆの領域からずれてしまう。また撮影時に手ブレ補正部４５により、図１４（ａ）に示す如く、撮影範囲Ｐ’が補正されたときにも、照射範囲Ｌ０は顔Ｆ領域からずれた照射範囲Ｌ０のままである。
【００８６】
照射範囲Ｌが被写体全体である場合には手ブレによる照射範囲のずれは目立たないが、分割的に照射される照射範囲Ｌ０は手ブレによる移動で照射対象が変わってしまうことがあり、影響が大きい。そこで照射領域補正部６０は、ＬＥＤフラッシュが分割照射モードに設定されているときのみに、照射範囲Ｌ０の補正を行う。
【００８７】
補正の方法は、上記実施形態と略同様に、複数のＬＥＤ５５をそれぞれオン／オフして制御することにより照射範囲Ｌ０を変化させる。こうすることにより図１４（ｂ）に示す如く、撮影範囲Ｐ’つまり撮影光学系１０の光軸が補正と同様に手ブレ検出部４４にて検出された手ブレ量に基づいて照射範囲Ｌ０の補正を行うことができる。これにより手ブレによる影響が大きいときのみに照射領域の補正を行うことができて電力の消費を低減することができる。
【００８８】
このようにして照射領域補正部６０による照射領域の補正を行う。そして照射領域の補正が開始されると、図６に示す如く、シャッタ駆動部２４がシャッタを開閉することにより、露光して撮影を行い（ステップＳ３０）、露光が終了するとＬＥＤフラッシュ制御部５３がＬＥＤ５５を停止させて（ステップＳ３１）、撮影が終了する。
【００８９】
またステップＳ２７にて、照射領域補正部６０がオンに設定されていない場合（ステップＳ２７；ＮＯ）には、ＬＥＤ制御部５３がＬＥＤ５５を被写体に向けて照射させ（ステップＳ３２）、照射領域補正部６０による補正は行わずに処理をステップＳ３０へ移行して、以降の処理を行って撮影を終了する。このようにしてデジタルカメラ１−２による撮影を行う。
【００９０】
上記のように手ブレ量に基づいて光学的に手ブレを補正すると共にＬＥＤフラッシュの照射領域を補正することによって、手ブレ補正によって撮影光学系の光軸が傾いて画角が変化しても、画角の変化に追従して発光手段の照射領域を補正することができる。これによりデジタルカメラにおいて光学的な手ブレ補正が行われても、被写体に対して適切な光の照射を行うことができる。
【００９１】
なお上記実施形態では、手ブレ補正部４５による手ブレ補正を露光中だけではなく、液晶モニタ３５にスルー画像を表示中にも行うものとしたが、露光中だけ行うようにしてもよい。
【００９２】
また上述した実施形態では主にＬＥＤフラッシュの照射位置を補正するものを説明したが、本発明はこれに限られるものではなく、ＬＥＤフラッシュの照射領域の大きさを変化させてもよい。ここで図１５に照射領域の大きさを変化させる場合の一例を示す。
【００９３】
一般的に露光時間が長いほど手ブレが生じる可能性が高く、手ブレ量も多くなる。従って手ブレ補正部４５が手ブレ補正を行うときの手ブレ補正量つまり撮影範囲の移動量も大きくなる。
【００９４】
従って図１５（ａ）に示す如く、通常の撮影時に撮影範囲Ｐの被写体に対してＬＥＤフラッシュが照射領域Ｌを照射するのに対して、露光時間つまりＬＥＤフラッシュの発光時間に基づいて、例えば発光時間が長いときには図１５（ｂ）に示す如く、照射領域Ｌ’を照射領域Ｌよりも大きく変化させる。照射領域の変更は、例えば図８、図９、図１１の構成を使用することができる。
【００９５】
こうすることにより手ブレ補正部４５による手ブレ補正によって撮影範囲ＰとＬＥＤフラッシュの照射領域Ｌがずれた場合であっても、ずれた量が照射領域Ｌのずれ方向の増分よりも小さければ撮影範囲Ｐの被写体を照射することができる。
【００９６】
また分割照射モードで撮影する場合であっても、露光時間つまりＬＥＤフラッシュの発光時間に基づいて、ＬＥＤ５５の発光量及び／又は照射領域を変化させてもよい。図１６に分割照射モードで撮影時にＬＥＤ５５の発光量及び／又は照射領域を変化させる場合の一例を示す。
【００９７】
図１６（ａ）に示す如く、例えば対象物検出部４６が画像データから対象物として顔を検出し、検出した顔Ｆの領域に対応するＬＥＤ５５を発光させることにより顔領域を照射領域Ｌ１とした場合に、露光時間つまり前記発光時間が比較的短い場合（例えば１／６０秒〜１／１５秒）には照射領域Ｌ１よりも少し大きい照射領域Ｌ１’に変化させ、発光時間が比較的長い場合（例えば１／１５秒〜１／４秒）には照射領域Ｌ１’よりも大きい照射領域Ｌ１’’に変化させる。
【００９８】
こうすることにより手ブレ補正部４５による手ブレ補正によって照射したい顔ＦからＬＥＤフラッシュの照射領域Ｌ１がずれた場合であっても、ずれた量が照射領域Ｌ１のずれ方向の増分よりも小さければ顔領域を照射することができるので、顔等の主要部が暗くなるのを防止することができる。
【００９９】
また発光時間が比較的長い場合にはＬＥＤ５５の発光量を少なくしてもよい。こうすることにより手ブレ補正によって照射したい顔ＦからＬＥＤフラッシュの照射領域Ｌ１がずれたときに光が照射される顔以外の部分つまり背景が明るくなるのを防止することができる。
【０１００】
なお上述の実施形態では、照射領域補正部６０のオン／オフを任意に設定可能としたが、本発明はこれに限られるものはなく、手ブレ補正部４５がオンに設定されているときのみに照射領域補正部６０をオンに設定してもよい。図１７にこの撮影の一連の処理のフローチャートを示す。
【０１０１】
図１７に示す如く、先ずＣＰＵ５０は手ブレ補正部４５がオンに設定されているか否かを判別する（ステップＳ４０）。手ブレ補正部４５がオンに設定されている場合（ステップＳ４０；ＹＥＳ）は、照射領域補正部６０をオンに設定する（ステップＳ４１）。このように手ブレ補正部４５がオンに設定されているときに、照射領域補正部６０が自動的にオンにされることにより、必要なときにのみ照射領域を補正することができるので、該補正にかかる消費電力を低減することができる。
【０１０２】
なお図１７のステップＳ４２からステップＳ４７は図６のステップＳ２１からステップＳ２６の処理と、図１７のステップＳ４８からステップＳ５１は図６のステップＳ２８からステップＳ３１の処理と同様であるため説明は省略する。
【０１０３】
また照射領域補正部６０が、ズームレンズ１０ｂのズーム倍率が所定値（例えば焦点距離ｆ＝８０ｍｍ：３５ｍｍ換算）よりも大きいときにのみ駆動されても、つまりオンにされてもよい。ズーム倍率が小さい場合には被写体の撮影範囲が広いので被写体の動きが小さいが、ズーム倍率が大きい場合には被写体の撮影範囲が狭いので、被写体の動きが大きくなる。従ってズーム倍率が大きい場合の方が、手ブレが生じ易いので、ズーム倍率が大きいときのみに照射領域補正部６０をオンにすることにより、照射領域の補正にかかる消費電力を低減することができる。
【０１０４】
また照射領域補正部６０が、撮影光学系１０の絞り１１のＦ値が所定値（例えばＦ値でＦ５．０倍）よりも大きいときにのみ駆動されても、つまりオンにされてもよい。絞り１１のＦ値が大きいときにはＦ値が小さいときよりもシャッタスピードが遅くなるため手ブレが生じやすくなる。そのため絞り１１のＦ値が大きいときのみに照射領域補正部６０をオンにすることにより、照射領域の補正にかかる消費電力を低減することができる。
【０１０５】
なお本発明の撮像装置は、上述した実施形態のデジタルカメラに限られるものではなく、本発明の趣旨を逸脱しない範囲において適宜変更可能である。
【図面の簡単な説明】
【０１０６】
【図１】デジタルカメラの機能ブロック図
【図２】ＬＥＤ及びＸｅにおける発光量及び発光時間と露光時間との関係を示すグラフ
【図３】デジタルカメラによる一連の撮影処理のフローチャート
【図４】別の実施形態のデジタルカメラの機能ブロック図
【図５】撮影光学系の光軸及び撮影画角とＬＥＤの光軸及び照射領域の一例を示す図
【図６】デジタルカメラによる一連の撮影処理の別のフローチャート
【図７】照射領域を機械的に変化させるＬＥＤフラッシュの（ａ）斜視図（ｂ）上面図（ｃ）側面図
【図８】照射領域を機械的に変化させる別のＬＥＤフラッシュの側面図
【図９】照射領域を機械的に変化させるさらに別のＬＥＤフラッシュの側面図
【図１０】照射領域と撮像範囲との関係を示す図
【図１１】ＬＥＤの配置と発光パターンの一例を示す図
【図１２】露光中の各ＬＥＤの発光パターンの一例を示す図
【図１３】分割照射モードで撮影するときの照射の一例を示す図、（ａ）通常撮影時（ｂ）手ブレ発生時
【図１４】分割照射モードで撮影するときの照射の別の一例を示す図、（ａ）手ブレ補正時（ｂ）手ブレ及び照射領域補正時
【図１５】照射領域の大きさを変化させる場合の一例を示す図
【図１６】分割照射モードで撮影時にＬＥＤの発光量及び／又は照射領域を変化させる場合の一例を示す図
【図１７】撮影の一連の処理の別のフローチャート
【符号の説明】
【０１０７】
１        撮像装置
１０      撮影光学系
１００    撮像部（撮像手段）
３９      ＡＥ処理部（露光算出手段）
４４      手ブレ検出部（手ブレ検出手段）
４５      手ブレ補正部（手ブレ補正手段、光学的手ブレ補正手段）
４６      対象物検出部（対象物検出手段）
５３      ＬＥＤフラッシュ制御部
５４      ＬＥＤ駆動回路
５５      ＬＥＤ
５３、５４、５５    ＬＥＤフラッシュ（発光手段、第一の発光手段）
５６      Ｘｅ管フラッシュ制御部
５７      Ｘｅ管駆動回路
５８      Ｘｅ管
５６、５７、５８    Ｘｅ管フラッシュ（第二の発光手段）
６０      照射領域補正部（照射領域補正手段）
【図１】
0004855363.tif 000002
【図２】
0004855363.tif 000003
【図３】
0004855363.tif 000004
【図４】
0004855363.tif 000005
【図５】
0004855363.tif 000006
【図６】
0004855363.tif 000007
【図７】
0004855363.tif 000008
【図８】
0004855363.tif 000009
【図９】
0004855363.tif 000010
【図１０】
0004855363.tif 000011
【図１１】
0004855363.tif 000012
【図１２】
0004855363.tif 000013
【図１３】
0004855363.tif 000014
【図１４】
0004855363.tif 000015
【図１５】
0004855363.tif 000016
【図１６】
0004855363.tif 000017
【図１７】
0004855363.tif 000018